(57)【要約】サービスプロバイダ（１０３）からモバイル端末を使用する複数のユーザ（１０６）にパーソナル化された情報を提供するための装置と方法である。特に、少なくとも１つのコンテンツ・サーバ（１０４）は少なくとも１つのコンテンツ・データベース（２１２）にコンテンツを格納する。更に、少なくとも１つの加入者データベース（１１２）はパーソナル化されたユーザプロフィールを格納する。複数の基地局（１０２）は、サービスプロバイダの少なくとも１つのサーバとモバイル端末との間の複数のセル（１０８）に渡って、無線通信受信可能範囲をそれぞれ提供する。コンテンツのユーザの要求を受信すると（３１０）、コンテンツ・サーバは、加入者及びコンテンツ・データベースに格納された時間的、空間的及びユーザ選択情報に基づいて、要求されたコンテンツを検索する（３４５）。要求されたコンテンツが検索されると、サーバは検索結果をモバイル端末に提供する（３５０）。
2005521299.tif 000002
【特許請求の範囲】
【請求項１】
ユーザに関連するモバイル端末（１０６）に情報を提供するための方法であって、
前記モバイル端末から情報の要求を受信し（３１０）、
前記情報の要求に応じて、前記モバイル端末に関連する空間的及び時間的情報を特定し（３３０）、
前記情報の要求に応じて、前記ユーザに関連するパーソナルプロフィールを特定し（３４０）、
前記空間的及び時間的情報と、ユーザのパーソナルプロフィール情報とに基づいて、前記情報を検索し（３４５）、
前記モバイル端末に検索結果を提供する（３５０）ことを有する方法。
【請求項２】
請求項１に記載の方法であって、
前記検索するステップが、セルラーネットワークの位置サーバ（１１４）から、前記モバイル端末に関連する前記空間的情報を取得する（３３５）ことを更に有する方法。
【請求項３】
請求項１に記載の方法であって、
前記検索するステップが、前記モバイル端末から前記空間的情報を取得する（３１０）ことを更に有する方法。
【請求項４】
請求項１に記載の方法であって、
それぞれの情報要求に応じて、前記モバイル端末に関連した前記パーソナルプロフィールを更新する（３２０）ことを更に有する方法。
【請求項５】
請求項４に記載の方法であって、
コンテンツへのそれぞれのユーザ要求の間に、要求されたコンテンツ内容を監視するステップと、
前記内容を分類するステップと、
前記分類された内容がユーザの選択に一致するか否かを決定するステップと
を更に有する方法。
【請求項６】
請求項１に記載の方法であって、
前記提供するステップ（３５０）が、特定のコンテンツをユニキャスト、ナローキャスト、マルチキャスト及びブロードキャストすることからなるグループから選択された送信を有する方法。
【請求項７】
請求項１に記載の方法であって、
前記検索するステップ（３４５）が、ユーザに選択された情報を抽出することを更に有する方法。
【請求項８】
請求項１に記載の方法であって、
前記受信するステップ（３１０）が、
前記パーソナルプロフィール情報を格納する加入者データベース（１１２）に、モバイル端末識別信号を送信し、
前記モバイル端末の位置を定めるためのセルラーネットワークの位置サーバに、前記モバイル端末識別信号を送信することを更に有する方法。
【請求項９】
モバイル端末に情報を提供するための装置であって、
複数の基地局（１０２）を有するセルラーネットワーク（１１０）であって、各基地局がそれぞれの地理的領域（１０８）内で何らかのモバイル端末（１０６）に無線通信を提供するセルラーネットワーク（１１０）と、
前記モバイル端末のユーザのパーソナルプロフィール情報を格納する加入者データベース（１１２）を有するサービスプロバイダ（１０３）と、
少なくとも１つのコンテンツ・データベース（２１２）にコンテンツを格納する少なくとも１つのコンテンツ・サーバ（１０４）であって、前記ユーザの位置と時間とパーソナルプロフィールに基づいて前記コンテンツを提供可能なコンテンツ・サーバ（１０４）と
を有する装置。
【請求項１０】
請求項９に記載の装置であって、
前記コンテンツ・サーバが集中的である装置。
【請求項１１】
請求項９に記載の装置であって、
前記コンテンツ・サーバが前記基地局にわたって分散された装置。
【請求項１２】
請求項９に記載の装置であって、
前記コンテンツ・サーバが、前記コンテンツの特定の内容に専用である装置。
【請求項１３】
請求項９に記載の装置であって、
前記モバイル端末が、テキストメッセージング、ウェブブラウザ、位置追跡、マルチメディア、マルチメディア装置の遠隔制御からなるグループから選択された機能を有する装置。
【請求項１４】
請求項９に記載の装置であって、
前記コンテンツ・サーバが、前記ユーザの個人の選択に基づいて、前記コンテンツを提供する装置。
【請求項１５】
請求項９に記載の装置であって、
前記セルラーネットワークに結合された位置サーバ（１１４）を更に有する装置。
【請求項１６】
請求項１５に記載された装置であって、
前記位置サーバが、モバイル端末識別信号を受信すると、前記モバイル端末用の空間的情報を格納する装置。
【請求項１７】
請求項１５に記載の装置であって、
前記位置サーバが、関門移動ロケーション・センター（ｇａｔｅｗａｙ  ｍｏｂｉｌｅ  ｌｏｃａｔｉｏｎ  ｃｅｎｔｅｒ）（ＧＭＬＣ）である装置。
【請求項１８】
請求項９に記載の装置であって、
前記加入者データベースが、前記サービスプロバイダに集中的である装置。
【請求項１９】
請求項９に記載の装置であって、
前記加入者データベースが、前記地理的領域にわたって分散された装置。
【請求項２０】
モバイル端末（１０６）に情報を提供するための装置であって、
コンテンツの要求を受信するための手段と、
前記要求に対応する空間的、時間的及びパーソナルプロフィール情報を特定するための手段と、
前記空間的、時間的及びパーソナルプロフィール情報に基づいて、前記コンテンツを検索するための手段と、
前記モバイル端末に検索結果を提供するための手段と
を有する装置。
【発明の詳細な説明】
【技術分野】
【０００１】
本発明はモバイル通信の分野に関するものであり、特に、モバイル情報装置及び通信装置のユーザへのデータと情報の提供に関するものである。
【背景技術】
【０００２】
商取引のパーソナル化又は対象を絞った広告は、ケーブルテレビのセットトップボックスや、テレビセットや、デスクトップコンピュータや、それと同様のもののように、固定（すなわち静止）端末で普及してきた。特に、サービスプロバイダは、地域の一般的な人口統計上のプロフィール、又は個人若しくは家庭の特有の人口統計上のプロフィールに基づいて、固定端末への伝送のための最も適切且つ効率的な広告を選択する。
【０００３】
モバイル無線環境において、モバイル端末（例えば、携帯電話、ラップトップコンピュータ、個人情報端末（ＰＤＡ）、及びそれと同様のもの）は、非常に大きい無線サービス領域で如何なる時も如何なる場所で無線ネットワークに接続することがある。移動性の便利さとの代償として、人口統計上のプロフィール情報は、地域に特有に人口統計条の前提がユーザにもはや有効ではないことがあるため、モバイル端末ユーザに重要な役割をあまり果たしていない。
【発明の開示】
【発明が解決しようとする課題】
【０００４】
位置のみのパラメータに基づくモバイル端末用のサービスが提案されており、例えばユーザがＳＴＡＲＢＵＣＫＳ（商標）コーヒー店の近くを通過すると、モバイル端末の表示装置にＳＴＡＲＢＵＣＫＳ（商標）のロゴを表示する。この種類のサービスは、位置情報にのみ依存しており、それ故にパーソナル化された正確な種類の選択的サービスをユーザに提供する機能において極めて制限されている。
【課題を解決するための手段】
【０００５】
従来技術に関連する以前の欠点が、パーソナル化された情報を複数のモバイル端末に提供するための装置と方法という本発明により克服される。特に、１つ以上のサーバは、少なくとも１つのコンテンツ・データベースに多様なコンテンツを格納する。更に、少なくとも１つの加入者データベースは、パーソナル化されたユーザプロフィールを格納する。複数の基地局は、サービスプロバイダの少なくとも１つのサーバとモバイル端末との間の複数のセルに渡って、無線通信受信可能範囲をそれぞれ提供する。
【０００６】
コンテンツのユーザの要求を受信すると、コンテンツ・サーバは、ユーザの位置と時間とパーソナルプロフィール情報に基づいてコンテンツを提供する。特に、コンテンツ・サーバは、コンテンツへのユーザ要求に対応する空間的、時間的及びパーソナルプロフィール情報を特定する。次に、コンテンツ・サーバは、加入者及びコンテンツ・データベースに格納された時間的、空間的及びユーザ選択情報に基づいて、要求されたコンテンツを検索する。要求されたコンテンツが検索されると、サーバは検索結果をモバイル端末に提供する。
【発明を実施するための最良の形態】
【０００７】
本発明の教示は、添付の図面に共に以下の詳細な説明を検討することにより、容易に理解され得る。
【０００８】
本発明の理解を促進するため、同一の参照番号が使用され、その場合には図面に共通の同一の要素を示す。
【０００９】
本発明により、ユーザがモバイル装置を使用して何らかの対象の位置からサービスプロバイダにアクセスし、その後にユーザの位置と日時とユーザのパーソナルプロフィール（例えば嗜好又は興味）に基づいてパーソナル化された情報を受信することが可能になる。サードパーティのサービスプロバイダがユーザにサービスを提供することがあり、競合の又は協力する無線又は有線ネットワークがユーザ（すなわち加入者）の要求を円滑にするために使用されることがあり、情報若しくはコンテンツ又はコンテンツに関する記述情報の要求が直接行われることがあることは、当業者にわかるであろう。
【００１０】
図１は、本発明に従って適応された無線通信システム１００のブロック図を表したものである。無線通信システム１００は、セルラーネットワーク１００と、サービスプロバイダ１０３と、複数のモバイル端末１０６とを有し、その複数のモバイル端末１０６はサービスプロバイダ１０３の加入者により一般的に使用されており、そのサービスプロバイダ１０３は例えば無線携帯電話キャリアからセルラーネットワーク１１０を使用する構成を有する。その他に、ユーザは、サービスプロバイダ１０３とセルラーネットワーク１１０のキャリアの双方の加入者であることがある。セルラーネットワーク１１０は、それぞれの基地局１０２１から１０２ｎ（合わせて基地局１０２）を有する複数の地理的領域又はセル１０８１から１０８ｎ（合わせて地理的領域１０８）により、部分的に形成される。セルラーネットワーク１１０は、例えばＡＴ＆ＴやＳＰＲＩＮＴＰＣＳやそれと同様のもののような無線電気通信キャリアにより所有される。サービスプロバイダ１０３とモバイル端末１０６は、セルラーネットワーク１１０を通じて地理的領域１０８で通信する。複数のセルラーネットワークが、同一又は類似の地理的領域を供給することがある。
【００１１】
１つの実施例において、関門移動ロケーション・センター（ｇａｔｅｗａｙ  ｍｏｂｉｌｅ  ｌｏｃａｔｉｏｎ  ｃｅｎｔｅｒ）（以降“ＧＭＬＣ”）のような位置サーバ１１４は、セルラーネットワーク１１０の一部である。その他に、モバイル端末１０６は、位置情報をサービスプロバイダ１０３に提供する全地球測位システム（ＧＰＳ）機能を有することがある。基地局コントローラとコアネットワーク（図示なし）のような他のセルラーネットワークのノードは本発明に無関係であり、それ故に図１のセルラーネットワーク１１０内に合わせて組み込まれている。
【００１２】
各基地局１０２は、特有の地理的領域又はセル１０８のための無線（例えばセルラー）通信受信可能範囲を提供する。例えば、サービスプロバイダは、ほとんどの主要な都市（例えば、カリフォルニア州Ｌｏｓ  Ａｎｇｅｌｅｓ、マサチューセッツ州Ｂｏｓｔｏｎ、及びそれと同様のもの）又は国のその他の領域で受信可能範囲を有することがある。図１の実施例において、第１の基地局１０２１はそのセル１０８１のための無線通信を提供し、基地局１０２２は第２のセル１０８２のための無線通信を提供し、以下同様である。
【００１３】
複数のモバイル端末１０６１から１０６ｎ（合わせてモバイル端末１０６）は、地理的領域１０８の基地局１０２を通じてサービスプロバイダ１０３とそれぞれ通信する。サービスプロバイダ１０３は、セルラーネットワーク１１０を介して位置通信サービス（ＬＣＳ）を提供することができる。
【００１４】
サービスプロバイダ１０３は、セルラーネットワーク１１０の一部であることがあるが、どちらかと言えばセルラーネットワーク１１０と別の存在である。サービスプロバイダ１０３は、１つ以上の集中コンテンツ・サーバ１０４と、加入者データベース１１２とを有する。コンテンツ・サーバ１０４は、モバイル端末１０６を介して多様な種類の情報をユーザに提供する。１つの実施例において、集中サーバ又はサーバのグループ１０４は、それぞれの地理的位置１０８の基地局１０２の全てに情報を提供するために使用されることがある。その他に、複数のサーバ１０４は、各基地局１０２に（及び最終的にはユーザに）ローカライズされた情報を転送可能な何らかの構成で、地理的位置１０８を通じて分散されることがある。例えば、各セル１０８はそれぞれの情報サーバ１０４を有することがあり、又は１つ以上のサーバ１０４が２つ以上のセルで共有されることがある。
【００１５】
１つの実施例において、集中加入者データベース１１２は、嗜好や収入や習慣やそれと同様のもののような、サービスプロバイダ１０３のユーザの個人情報及び選択的（すなわちプロフィール）情報を格納する。パーソナル化されたデータは、娯楽、旅行とホテル宿泊設備、レストラン、ショッピング、及び／又はその他の内容のような、多様なトピックと内容に関する選択的情報を有することがある。例えば、特定のユーザは中間所得層の生活水準を有し、イタリアンレストランと、空想的な映画と、レースカーと、美術館の嗜好を有することがある。各ユーザは、そのようなパーソナル化された情報をセルラーサービスプロバイダ１０３に提供し、必要に応じてパーソナル化されたデータを更新することがある。
【００１６】
加入者データベース１１２は、ユーザのパターンと習慣とそれと同様のものを監視することにより、ユーザの要求から自動的に“学習する”ように任意選択でプログラムされる。特に、１つの実施例では、加入者データベース１１２は、情報に対するユーザの要求と選択を追跡及び分類し、パーソナル化された情報を作り、その後にそのパーソナル化された情報はサーバ１０４により多様なユーザの選択に分類される。そのように集められた情報は、図１の実施例に表される通り、集中加入者データベース１１２に格納される。
【００１７】
その他の実施例において、データベース１１２は、セル１０８に渡って分散されたデータベースである。すなわち、セル１０８のいくつか又は全てが、それぞれの分散データベース１１２を有する。いずれかの実施例において、分散データベース１１２は合わせてネットワーク化され、最終的に複合データベース１１２を形成する。
【００１８】
モバイル端末１０６の位置は、サービスプロバイダ１０３がユーザの位置と日時とユーザのパーソナルプロフィールに基づいてパーソナル化された情報を提供するために必要である。位置サーバ１１４が使用される実施例では、ユーザがそのモバイル端末１０６を起動したときに、モバイル端末１０６がシステム検査機能を実行したときに、又はユーザがモバイル端末１０６を持って移動したときに、位置サーバ１１４はユーザの位置情報を格納する。
【００１９】
サービスプロバイダ１０３のコンテンツ・サーバ１０４は、標準化されたインタフェースを通じて位置サーバ１１４と通信し、ユーザの位置情報を要求することができる。セル１０８内のモバイル端末１０６の位置を決定することに関して、いくつかの技術が知られている。例えば、３つのセルのタワーが、到着時刻（ＴＯＡ）位置決め又は到着時差（ＴＤＯＡ）位置決めのような三角測量技術を使用して位置を決定するために使用されることがある。この場合、複数のタワーは相互に通信し、検出したモバイル端末に関する情報を交換する。多様な精度（数メートルから全セル１０８にわたる）を備えた他の位置決め技術もモバイル端末１０６の位置を定めるために利用されることがあることを、当業者は認識するであろう。
【００２０】
前述の通り、１つの実施例では、モバイル端末１０６は位置サーバ１１４と通信し、モバイル端末１０６の位置をコンテンツ・サーバ１０４に提供する。その他の実施例では、モバイル端末１０６は組み込まれた位置追跡（例えばＧＰＳ）機能（図示なし）を有する。位置追跡機能により、モバイル端末１０６はその位置をサービスプロバイダ１０３に直接通信することが可能になる。従って、セルラーネットワーク１１０の位置サーバ１１４は、この第２の実施例では必要ない。むしろ、モバイル端末１０６とのインタフェースになる位置追跡装置が、サービスプロバイダ１０３又はサードパーティの位置追跡サービスのいずれかによって提供されることがある。
【００２１】
図２は、図１の無線通信システムの例示的な情報サーバ１０４と多様な構成要素との間の通信パスを示したブロック図である。特に、図２の例示的なコンテンツ・サーバ１０４は、プロセッサ２０２と、後述されるようなフィルタ／セレクタ・プログラム２１４及び構成プログラム２１６のような多様なプログラム２１０を格納するためのメモリ２０８とを有する。プロセッサ２０２は、電力供給やクロック回路やキャッシュメモリやそれと同様のもののような従来の支持回路２０４と、メモリ２０８に格納されたソフトウェアルーチンを実行する際に役立つ回路と協同動作する。従って、ソフトウェア処理としてここで説明される処理ステップのいくつかは、例えばプロセッサ２３０と協同動作して多様なステップを実行する回路として、ハードウェア内で実施されることがあることが企図される。サーバ１０４はまた、セルラーネットワーク１１０と加入者データベース１１２と位置サーバ１１４のような、サーバ１０４と通信する多様な機能要素間のインタフェースを形成する入出力（Ｉ／Ｏ）回路２０６を有する。
【００２２】
コンテンツ・サーバ１０４はまた、多様なコンテンツ・データベース２１２を有し、そのコンテンツ・データベース２１２は、電子番組ガイド（ＥＰＧ）情報や、映画一覧や、レストランや、公園や、美術館や、それと同様のもののような娯楽情報を一般的に有する。しかし、他のコンテンツ・データベースもまた、旅行情報、ショッピング情報、又はその他の興味のある内容を有することがある。サービスプロバイダ１０３が集中サーバ又はサーバのグループ１０４を有している場合、各カテゴリの情報は、地理的位置（例えばセル）１０８、種類、様式、及び／又はその他の関連カテゴリにより更に分類される。特に、フィルタ・プログラム２１４は多様なコンテンツ・データベース２１２に格納されたコンテンツを分類する。
【００２３】
例えば、美術館データベースは、特定の地理的位置１０８内にある美術館と、美術館の種類（例えば、美術、技術関連、交通機関、及びそれと同様のもの）と、関連する一時的な情報（例えば開館日時）等を有する。同様に、サービスプロバイダ１０３がセル１０８にわたって分散された複数のサーバ１０４を有する場合、そのサーバ１０４は、サーバ１０４が存在するセル１０８に関連する特有の情報のみを有しさえすればよい。任意選択で、サーバは相互にバックアップするために、更なる情報を格納することがある。
【００２４】
構成アプリケーションプログラム２１６は、コンテンツ・データベース２１２からの要求されたコンテンツを、要求側の加入者端末１０６に適したフォーマットに変換する。例えば、構成器２１６は、コンテンツ・データベース２１２からの通常のテキストを、ウェブブラウザ機能を有するモバイル端末１０６に適したハイパーテキスト・マークアップ言語（ＨＴＭＬ）フォーマットの情報に変換することがある。
【００２５】
モバイル端末１０６は、空間的、時間的及びパーソナルプロフィール関連情報に基づいて、サービスプロバイダ１０３からコンテンツを受信するために使用される。モバイル端末１０６は、携帯電話や、ラップトップコンピュータや、個人情報端末や、それと同様のもののような、無線通信信号を送受信可能な何らかのモバイル装置であることがある。１つの実施例では、モバイル端末１０６はユーザにテキストメッセージ機能のみを提供することがある。更に高度な実施例では、モバイル端末１０６はユーザにウェブブラウザ機能を提供することがあり、それにより例えばＨＴＭＬフォーマットの情報の受信が可能になる。この後者の実施例では、モバイル端末１０６は、ＨＴＭＬドキュメントをデコードして表示することができるブラウザを有する。任意選択で、モバイル端末１０６は、前述の通り、位置追跡機能を有する。
【００２６】
ユーザが特定の基地局１０２の地理的位置内にいる場合に、モバイル端末１０６のユーザ（例えば加入者）は、サービスプロバイダ１０３と通信することがある。すなわち、セル１０８の送受信領域内である。例えば、第２のセル１０８２内で携帯電話、ＰＤＡ又はラップトップを使用する何らかの加入者は、基地局２  １０２２を通じて無線受信可能範囲を有する。例えば、ユーザが第３のセル１０８３内に移動すると、そのユーザは基地局３  １０２３を通じて無線受信可能範囲を有する。任意選択で、例えばモバイル端末１０６からの“ローミング”通信の間に、協力する又は競合のネットワークがサービスプロバイダ１０３へのアクセスを提供することがある。任意選択で、協力する又は競合のネットワークが、位置データと時間データをサービスプロバイダ１０３に提供する。
【００２７】
モバイル端末１０６はまた、専門のタスク又は機能を実行する更なるハードウェア又はアプリケーションソフトウェアを有することがある。例えば、１つの実施例では、モバイル端末１０６は内蔵式のユニバーサル・リモコン機能を有する。個人情報端末（ＰＤＡ）機能も含まれることがある。ユーザはまず、端末からパーソナル化されたＥＰＧサービスを要求する。ユーザは、モバイル端末１０６の表示スクリーンに示されたＴＶ番組をハイライトし、例示的にＨＴＭＬに埋め込まれたＪＡＶＡ（登録商標）アプレットを実施することにより、望ましいチャンネルを選択することがある。更に、チャネルの上下又は数字ボタンを使用することにより、ユーザはまた、モバイル端末１０６から視聴チャンネルを直接選択することがある。ＭＰＥＧ−４、ＡＴＶＥＦ、ＤＡＳＥ、ＳＨＯＣＫＷＡＶＥ、ＦＬＡＳＨ、及びそれと同様のもののような、他のマルチメディアツールもまた、十分なメモリとソフトウェア機能を有するモバイル端末（例えばラップトップ）１０６の双方向性のユーザインタフェースとして使用されることがある。
【００２８】
モバイル端末１０６は、サービスプロバイダ１０３のコンテンツ・サーバ１０４とセルラーネットワーク１１０の位置サーバ１１４と共に動作し、ユーザの空間的、時間的およびパーソナルプロフィール情報を更新する。一般的に、位置サーバ１１４は、セルラーネットワーク１１０又はセルラーネットワーク１１０に結合されたサードパーティの位置決めサービスにより動作される。特に、セルラーネットワーク１１０又は位置決めサービスは、各ユーザの位置を監視し、そのような位置情報を位置サーバ１１４に格納する。移動中を含めて、ユーザがモバイル端末１０６を起動する毎に、各ユーザの位置が更新される。更に、時間的情報もまた、基地局１０２とモバイル端末１０６とのクロックの同期を通じて更新される。空間的及び／又は時間的情報は、セルラーネットワーク１１０の構成に従って継続的又は定期的に更新されることがある。
【００２９】
図３は、モバイル端末装置１０６のユーザにパーソナル化された情報を提供するための方法３００のデータフローチャートを表したものである。図３のデータフローチャートは、図１と２と共に考察されるべきである。フローチャートは、モバイル端末１０６と、コンテンツ・サーバ１０４と、加入者装置１０３の加入者データベース１１２と、セルラーネットワーク１１０の位置サーバ１１４とを含む４つのカテゴリを有する。フローチャートは、無線通信システム１００のその４つのカテゴリ（すなわち構成要素）の間の複数の通信パスを示している。
【００３０】
前記方法３００は、ステップ３１０で開始し、モバイル端末１０６がサービス要求メッセージとモバイル端末ＩＤ信号を、ユーザが現在いる特定の地理的位置１０８（すなわちセル）にサービス提供する基地局１０２を通じて、サービスプロバイダ１０３のコンテンツ・サーバ１０４に送信する。すなわち、ユーザが、セルラーネットワーク１１０を通じて情報の要求を開始する。ユーザは一般情報の要求を行うことがあり、又は特定のユーザの選択を包含又は無視するように要求を制限することがある。次に、基地局１０２はモバイル端末の通信信号を、セルラーネットワーク１１０を介して、例えばサービスプロバイダ１０３の集中サーバ１０４に中継する。ステップ３１５において、サービスプロバイダ１０３は基地局１０２から通信信号を受信し、モバイル端末ＩＤを備えたサービス要求を、パーソナルプロフィール情報用の加入者データベース１１２に転送する。
【００３１】
ステップ３２０において、加入者データベース１１２は特定のコンテンツのユーザ要求を任意選択で追跡し、関連情報（すなわち、存在する場合には要求及び選択）をユーザのプロフィールに追加する。このように、加入者データベース１１２はユーザプロフィールを自動的に更新して、その特定のユーザのための関連内容についてのより信頼性の高い検索を提供する。留意すべき点は、要求が加入者データベース１１２により受信された時に、又はその後如何なる時間に、ステップ３２０が実行されることがある点である。
【００３２】
前述の通り、１つの実施例では、セルラーネットワーク１１０はモバイル端末１０６の位置を追跡するための位置サーバ１１４を有する。この実施例では、ステップ３２５において、コンテンツ・サーバ１０４がモバイル端末ＩＤ信号を位置サーバ１１４に転送し、モバイル端末１０６の現在の位置情報を要求する。ステップ３３０において、位置サーバ１１４は、受信されたモバイル端末ＩＤに基づいて、モバイル端末１０６の地理的位置（例えばセル又はセル内の特定の位置）１０８を特定する。留意すべき点は、ステップ３３０において、位置サーバ１１４がユーザの現在の位置（すなわちセル１０８）を格納する点である。ステップ３３５において、位置サーバ１１４は位置情報をコンテンツ・サーバに返信する。
【００３３】
ユーザの位置を知ることにより３０２、コンテンツ・サーバは、ユーザがいる時間帯（それ故にユーザの現地時間）を決定することができる。他の実施例では、位置サーバは、モバイル端末の位置情報と共に現地時間情報を送信することがある。その他に、モバイル端末１０６はサーバ１０４へのサービス要求と共に現地のタイムスタンプを送信し、それによりサーバ１０４はそのタイムスタンプからユーザの時間的情報を抽出することがある。同様に、ステップ３３５において、加入者データベース１１２は、モバイル端末ＩＤによりユーザのモバイル端末１０６を特定し、選択されたパーソナルプロフィールをコンテンツ・サーバ１０４に返送する。
【００３４】
ステップ３４５において、コンテンツ・サーバ１０４はコンテンツ・データベース２１２から要求された情報を選択する。特に、コンテンツ・サーバ１０４は、ユーザにより要求された内容を特定し、ユーザのプロフィール（すなわちパーソナル化された情報）に基づいて、要求された内容（すなわちコンテンツ）のデータベース検索を実行する。コンテンツ・サーバ１０４により実行された結果は、要求側のユーザのプロフィールに類似して対応するコンテンツを検索するコンテンツ・データベース２１２のデータベースのフィールドを通じたフィルタリング又は選択処理２１４を含む。
【００３５】
例えば、スポーツ情報を要求するユーザは、野球とゴルフの選択を有することがある。図１を参照すると、第１のセル１０８１におけるほぼ６：００ｐｍにテレビ放映されるスポーツ関連の内容のユーザの要求を受信するサーバ１０４は、まずユーザの地理的位置に対応する電子番組ガイドデータベースの検索を実行する。その結果は、要求の時間又はユーザにより特に要求された時間帯により、更に限定されることがある。サーバ１０４はまた、ユーザの選択に対応する多様なタイトルを検索することにより、検索を制限する。ユーザがその特定の選択を特定する場合、サーバ１０４はそれに従って検索結果を制限する（例えば野球とゴルフのイベント）。
【００３６】
次に、前記方法３００はステップ３５０に進み、コンテンツ・サーバ１０４は、セルラーネットワーク１１０と、特にユーザの地理的位置１０８で受信可能範囲を提供する基地局１０２とを介して、要求された内容をモバイル端末１０６に送信する。次に、要求された内容はユーザのモバイル端末１０６に表示されることがある。図１を参照すると、第１の地理的位置１０８１の要求側のユーザのモバイル端末１０６は、６：００と６：３０ｐｍの間にテレビで放送される現地のスポーツ（例えば野球とゴルフ）イベントに関するＥＰＧ情報を受信し、例示的に表示する。同様に、第２の地理的位置１０８２で放送されるテレビを要求するユーザは、そのユーザのパーソナルプロフィールと、日時と、位置に対応するＥＰＧ映画情報（すなわち空間的、時間的及びパーソナルプロフィールデータの組み合わせに基づく情報）を例示的に受信する。同様に、第３の地理的位置１０８３で映画コンテンツを要求するユーザは、そのユーザのパーソナルプロフィールと、要求時間と、位置に対応する現地の劇場及び映画情報（すなわち映画予定表）を例示的に受信する。
【００３７】
モバイル端末がそれ自体に位置追跡機能（例えばＧＰＳ）を有する実施例では、サーバ１１４は方法３００を必要としないということに留意することが重要である。むしろ、ステップ３１０において、ユーザの位置はモバイル端末１０６から導かれ、サービス要求とモバイル端末ＩＤ信号と共にサービスプロバイダ（すなわちコンテンツ・サーバ１０４）に直接送信される。
【００３８】
加入者の全てのパーソナルプロフィール情報を格納するものとして、単一の集中加入者データベース１１２が説明されたが、加入者の特定のパーソナルプロフィール情報を格納するために、専用の加入者データベース１１２が利用されることがある。更に、加入者データベース１１２は、通信システム１００の他のコンテンツ・サーバ１０４内に分散され、配置されることがある。例えば、図１では、ＥＰＧサーバとしての専用であるコンテンツ・サーバ１０４１が、全ての加入者のＥＰＧのパーソナルプロフィールを含むことがあり、映画／演劇サーバとしての専用であるコンテンツ・サーバ１０４ｐが、全ての加入者の映画のパーソナルプロフィールを格納する専用の加入者データベース１１２を有する。
【００３９】
更に、サーバ１０４は、単一のユーザに情報（すなわちコンテンツ）を提供するもの（ユニキャスト）として説明されたが、無線通信装置１００はまた、モバイル端末１０６の１つのグループ（ナローキャスト）、複数のグループ（マルチキャスト）又は全ての加入者／ユーザ（ブロードキャスト）に情報を提供することも企図する。１つの実施例では、サービスプロバイダ１０３は、特定の地理的位置１０８のユーザの選択に基づいて、広告情報を提供することがある。例えば、主要なスポーツイベントが特定の地理的位置１０８で起こっている場合、サービスプロバイダ１０３は同様の選択を有するユーザに特定の広告又は他の情報を送信（例えばマルチキャスト）することがある。現地の劇場もまた、ショーで利用可能な席を適切な加入者に誘うことを望むことがある。
【００４０】
更に高度なモバイル端末１０６の実施例（例えばラップトップ）は、多機能通信装置として使用されることがある。例えば、現地の映画館のスケジュールを受信するユーザは、映画のチケットを購入するウェブサイトにハイパーリンクし、映画館への方向を取得する他のウェブサイトにリンクするために、モバイル端末１０６のブラウザを使用することがある。
【００４１】
本発明の実施例は、例えば１マイルの半径内でＡＴＭ機械を見つけることのような、空間的（位置）パラメータにのみ依存する静的なサービスを提供する従来技術のサービスに対して、空間的、時間的及びパーソナルプロフィール情報の組み合わせを利用することに留意することが重要である。
【００４２】
本発明の教示を具体化する多様な実施例がここで詳細に示され、説明されたが、当業者はこの教示を依然として具体化する多くの他の多様な実施例を容易に考案することがある。例えば、無線セルラーモバイルネットワークに関してモバイルユーザに提供するステップが説明されたが、本発明の原理は、無線ローカルエリアネットワーク（ＷＬＡＮ）を通じて情報の送信が提供される本発明の実施例に同様に適用されることが当業者に明らかである。
【図面の簡単な説明】
【００４３】
【図１】本発明の例示的な実施例が利用される無線通信システムのブロック図を表したものである。
【図２】本発明の原理に従って、図１の無線通信システムの例示的なサーバと多様な構成要素との間の通信パスを示したブロック図を表したものである。
【図３】本発明の原理に従って、図１の無線通信システムの多様な構成要素間のデータフロー図を表したものである。
【図１】
2005521299.tif 000003
【図２】
2005521299.tif 000004
【図３】
2005521299.tif 000005
【国際調査報告】
2005521299.tif 000006
2005521299.tif 000007